(57)【要約】【課題】ベッド枠に引っ掛けて取りつけられる医療機器の駆動に伴う振動がベッドに伝わらない構成としたベッドに支持可能な医療機器を提供する。【解決手段】鉤状のフック部６を、医療機器としてのエアポンプ１の側面上部に引き出し可能に取りつけるとともに、その引出し長さを調整する調整部を備え、ベッド枠に接するエアポンプの側面に振動吸収部材よりなる側面脚部８を取りつけてなり、調整部によりフック部の長さをベッド枠の幅に略一致させることにより、脚部をベッド枠に接触させ、振動の伝達を防止する。【選択図】  図１
2004222985.tif 000002
【特許請求の範囲】
【請求項１】
鉤状のフック部を備え、該フック部がベッド枠に引っ掛けられてベッドに支持される医療機器であって、上記フック部は、上記医療機器の側面上部に設けられたガイド孔に引き出し可能に収納されるとともに、その引出し長さを調整する調整部を備え、かつベッド枠に接する上記医療機器の上記側面に振動吸収部材が取りつけられてなり、上記調整部により上記フック部の長さをベッド枠の幅に略一致させることにより、上記振動吸収部材が上記ベッド枠に接触せしめられることを特徴とするベッドに支持可能な医療機器。
【請求項２】
上記調整部は、上記フック部の上面に複数個形成された第１凹部と、上記ガイド孔側において上記第１凹部に相対する位置に形成され上記第１凹部に係合する第１凸部とを備えてなり、該第１凸部が上記第１凹部のいずれかの凹部に係合することにより、引出し長さが調整されるとともに、その長さが固定されることを特徴とする請求項１記載のベッドに支持可能な医療機器。
【請求項３】
上記調整部は、上記フック部の下面に複数個形成された第２凹部と、上記ガイド孔側において上記第２凹部に相対する面に形成され上記第２凹部に弾性をもって係合する第２凸部とを備えてなり、該第２凸部と上記第２凹部の係合位置と、上記第１凸部と上記第１凹部の係合位置が一致せしめられてなることを特徴とする請求項２記載のベッドに支持可能な医療機器。
【発明の詳細な説明】
【０００１】
【発明の属する技術分野】
本発明は、騒音発生を抑制することができるベッドに支持可能な医療機器に関する。
【０００２】
【従来の技術】
従来、一般に医療機器をベッド枠に吊り下げる構造を開示した文献として下記特許文献がある。この公報には、医療機器に略Ｖ字状のアーム部を取り付け、ベッドのサイドパイプに２点で接触させることにより、安定に保持させることができる旨記載されている。
【０００３】
一方、近時、特に寝たきり患者の褥創発生を予防するため、ベッドにエアマットを敷き、これにエアポンプから空気を供給、排出して患者の体に局所的に力が加わるのを防止するエアマットが広く利用されており、かかるエアポンプはベッドのそばの床に置かれたり、あるいはベッド枠にフックにて引っ掛けられて支持される。
【０００４】
一般にベッド近辺で使用される医療機器は、患者の安眠を妨げないよう、可能な限り騒音発生を抑制する構造としなければならない。しかしながら、エアポンプを、ベッド枠にフックにより係合すると、エアポンプがベッド枠に直接接触することとなり、その振動により、ベッド枠との間で騒音が発生し、あるいはベッド枠と共振して騒音が増幅されるおそれがある。
【０００５】
【特許文献１】
特許第３０６２４４９号公報
【０００６】
【発明が解決しようとする課題】
上記公報においては、医療機器をベッド枠に係合固定した際に、医療機器特にエアポンプのように振動する機器と、これが接触するベッドとの間で発生する騒音については、考慮されていない。仮に図７に示すように、エアポンプ１のベッド枠１７に接する側面に数箇所軟質弾性ゴム等の振動吸収部材８を取り付けて、これを介してベッドに接触させる構造としたとしても、通常フック部の長さは一定（通常ベッド枠に確実に係合できるよう幅広く設計されている）であるため、エアポンプ本体１は傾斜して、エアポンプ本体１の一部、例えば下端部分ｐが直接ベッド枠１７に当たることとなり、振動の伝達を殆ど防止できない。
【０００７】
本発明は、このような事情を考慮してなされたものであり、厚さの異なる種々のベッド枠であっても、エアポンプを確実に振動吸収部材を介してベッド枠に接触させることができるエアマット用エアポンプを提供するものである。
【０００８】
【課題を解決するための手段】
本発明（請求項１）は、鉤状のフック部を備え、該フック部がベッド枠に引っ掛けられてベッドに支持される医療機器であって、上記フック部は、上記医療機器の側面上部に設けられたガイド孔に引出し可能に収納されるとともに、その引出し長さを調整する調整部を備え、かつベッド枠に接する上記医療機器の上記側面に振動吸収部材が取りつけられてなり、上記調整部により上記フック部の長さをベッド枠の幅に略一致させることにより、上記振動吸収部材が上記ベッド枠に接触せしめられるものである。
【０００９】
かかる構成において、医療機器は通常ベッドの足元のベッド枠にフック部を介して引っ掛け、係合固定される。ベッド枠の厚さに略一致するよう調整部にてフック部引出し長さが調整される。長さ調整されたフック部をベッド枠に引っ掛けることにより、医療機器はベッド枠に対し略平行となり、振動緩衝部材はベッド枠に接触し、医療機器がベッド枠に当たって騒音を発生する現象は生じない。
【００１０】
本発明（請求項２）において、上記調整部は、上記フック部の上面に複数個形成された第１凹部と、上記ガイド孔側において上記第１凹部に相対する位置に形成され上記第１凹部に係合する第１凸部とを備えてなり、該第１凸部が上記第１凹部のいずれかの凹部に係合することにより、引出し長さが調整されるとともに、その長さが固定される。かかる構成において、フック部の引出し長さは、第１凸部と第１凹部の係合により固定され、医療機器をベッドから引き離す方向あるいはその逆の方向の力が働いても、フック部は移動しない。
【００１１】
本発明（請求項３）において、上記調整部は、上記フック部の下面に複数個形成された第２凹部と、上記ガイド孔側において上記第２凹部に相対する面に形成され上記第２凹部に弾性をもって係合する第２凸部とを備えてなり、該第２凸部と上記第２凹部の係合位置と、上記第１凸部と上記第１凹部の係合位置が一致せしめられてなるものである。かかる構成において、第１凸部と第１凹部が係合しているとき、第２凸部と第２凹部もまた係合しているため、フック部は安定した係合固定位置を維持する。
【００１２】
【発明の実施の形態】
以下実施の形態をエアマット用エアポンプについて説明する。
【００１３】
図１において、１は、略直方体形状のエアポンプであり、２は、上面に形成された操作部で電源スイッチ、各種動作制御スイッチ３等が配置されている。４は、エアマット５（図４）へのエア給排気を行うための２本のエアチューブである。チューブ４を２本としたのは、エアマット５が交互に配置された２種類のエアセル群よりなる場合に、これらを交互に給排気動作させるためである。６は、エアポンプ１の側面上部に、引出し可能な状態で形成された１対の鉤状のフック部、７は、商用交流電源に接続されるプラグ、８は側面Ｓに４個取り付けられた軟質弾性ゴム等振動吸収部材よりなる側面脚部である。９は、エアポンプ１の底面に取りつけられた同様の振動吸収部材よりなる底面脚部であり、エアポンプ１の外側ケース及びフック部６は、樹脂にて形成されている。
【００１４】
図１，２，３に示すように、フック部６は、水平部分６ａとその先端の下方向に折れ曲がった垂直部分６ｂよりなり、水平部分６ａが、エアポンプ１のケースに形成された水平方向のガイド１０孔内に、水平方向（図３、矢印ａ方向）に移動（引出し）可能な状態で収納されている。また水平部分６ａは、裏側の両サイドに二条の補強用リブが形成されている。１１は、水平部分６ａの上面に複数個形成された引出し方向ａに対し直角な方向の溝状の第１凹部（断面略台形）、１２は、水平部分６ａの下面に複数個形成された同様に引出し方向ａに対し直角な方向の溝状の第２凹部（断面略円形）で、第１、第２凹部１１，１２は同数形成されている。
【００１５】
１３は、ケースのガイド孔１０の先端天井部分に下方に向かって形成された第１凸部で、第１凹部１１に入る大きさを有しており、第１凸部１３が第１凹部１１に入り込み、両者係合することにより、フック部６の引出し長さは固定される。１４は、ケースのガイド孔１０の奥部底面に取りつけられた板バネよりなる第２凸部で、中央に第２凹部に係合する円形凸部１４ａを有する。第２凸部１４は、その端部１４ｂ（図３中左端）が左右に移動可能に支持され、それゆえ円形凸部１４ａが垂直方向に弾性移動できる構成とされている。円形凸部１４ａの下方への弾性移動により、第２凹部１２との係合が解除される。第１凸部１３が第１凹部１１に相対しているとき、第２凸部１４の円形凸部１４ａもまた第２凹部１２に相対する位置関係にある。
【００１６】
第１凸部１３及び第１凹部１１にて、フック部６の引出し長さを調整する調整部が構成される。またかかる構成に、第２凸部１４及び第２凹部１２を付加した構造もまた、調整部として機能する。
【００１７】
図３に示すように、フック部６に力が加わらないときは、第１凸部１３は、第１凹部１１から外れた（または簡単に外れる）状態にあり、ａ方向に移動させることにより、その引出しあるいは収納動作がなされる。かかる動作時、第２凸部１４は、第２凹部１２の係合、離脱を繰り返すため、断続的な抵抗感を生じる。１５は、エアポンプ１のケースに形成された凹所で、フック部６の収納時、垂直部分６ｂがここに収容される。エアポンプ１が床に置いて使用されるとき、あるいは運搬時等、フック部６は収納状態とされる。なおこの収納時にあっては、第１凸部１３は第１凹部１１から外れ、同様に第２凸部１４もまた第２凹部１２から外れており、フック部６は第２凸部１４による弾性押圧力によりその収納位置が維持されている。
【００１８】
第１凸部１３と第１凹部１１の位置関係と、第２凸部１４と第２凹部１２の位置関係とは、一致せしめられており、例えば、第１凸部１３が、図３中、右から３番目の第１凹部１１に相対しているときは、第２凸部１４も右から３番目の第２凹部１２に係合している。
【００１９】
１６は、フック部６の下面後端に形成されたストッパーで、フック部６の最大引出し長さを規制、すなわち第１凸部１３が最後端の第１凹部１１（図３中、左端の第１凹部１１）に係合した後、それ以上フック部６を引き出そうとしたとき、第２凸部１４の円形凸部１４ａに当たってこれを阻止するとともに、フック部６の抜け止め作用をなす。
【００２０】
かかる構造のエアポンプ１を、ベッド枠に固定した場合につき説明する。
図４，５，６に示すように、エアポンプ１は、そのフック部６がベッド枠１７（通常患者の足元側の枠）に引っ掛けられる。エアチューブ４は、ベッドに敷かれたエアマット５に連結されている。フック部６の引出し長さは、ベッド枠１７の厚さに略一致する位置に設定される。この設定位置は、第２凸部１４が第２凹部１２に弾性係合した安定位置とされる。この位置にて、エアポンプ１は、これとベッド枠１７との間に隙間があいてエアポンプ１が傾斜した状態とならないよう、すなわち全ての側面脚部８がベッド枠１７に接した状態で固定される（図６）。
【００２１】
図５に示すように、エアポンプ１をベッド枠１７に引っ掛けた際、エアポンプ１の重量により、フック部６には、上方向（矢印ｂ）の力が加わり、第１凸部１３は第２凹部１１に係合し、フック部６のａ方向の移動は阻止される。これにより、エアポンプ１は、ベッド枠１７に強固に固定されることとなる。かかる状態でエアポンプ１を駆動し、エアマット５へのエアの給排気がなされる。
【００２２】
なお、第１凹部１１の形状は、図３，４に示すように、後側壁面（図中左側壁面）が略垂直に、また前側壁面（図中右側壁面）が傾斜面に形成されている。すなわち第１凸部１３と第１凹部１１とが係合状態にある場合、フック部６を引き出す方向に力が加わったときその係合力は強いが、フック部６を収める方向の力が加わったときの係合力は弱い。それゆえフック部６の収納動作は係合状態にある場合でも行うことができる。
【００２３】
上記実施の形態においては、医療機器として振動の大きいエアポンプにつき説明したが、その他の医療機器特にモータ、ポンプ等振動を発生する駆動部品を内蔵する医療機器に適用して有効である。
【００２４】
【発明の効果】
本発明（請求項１）によれば、フック部の引出し長さが、ベッド枠の厚さに応じて調整されるから、医療機器は、振動吸収作用を有する側面脚部を介してベッド枠に接することとなり、エアポンプの振動がベッド枠に伝わることはなく、両者の接触による騒音発生あるいは共振に伴う騒音発生は防止される。
【００２５】
本発明（請求項２）によれば、フック部の引出し長さは、第１凸部及び第１凹部の係合により所定の値に維持されるから、エアポンプはベッド枠に対し所定の位置関係で確実に維持されることとなる。それゆえ、エアポンプ使用中、その振動によりフック部の長さが変わりエアポンプの位置がずれてエアポンプ本体、すなわち脚部以外のケース等硬質部分がベッド枠に当たって騒音を発生するおそれはない。
【００２６】
本発明（請求項３）によれば、第２凸部が第２凹部に弾性発力をもって係合するから、フック部を指で挟んで移動させる際、断続的な抵抗感を生じさせ、安定な位置（係合位置）を選択しながらスライドさせることができ、抵抗のある位置で止めれば、これが第１凸部と第１凹部の係合位置に一致することとなる。それゆえ、第１凸部と第１凹部の係合位置を探す必要はない。さらにフック部は、第１凸部と第１凹部の係合及び第２凸部と第２凹部の係合の２種の係合力によって、固定されるから、その係合位置を、より安定なものとすることができる。
【図面の簡単な説明】
【図１】本発明の実施の形態にかかる医療機器（エアポンプ）を示す斜視図である。
【図２】フック部を示す斜視図である。
【図３】図１のＡ−Ａ線断面図である。
【図４】医療機器（エアポンプ）の使用状態を示す斜視図である。
【図５】図４のＢ−Ｂ線断面図である。
【図６】医療機器（エアポンプ）の使用状態を説明するための側面図である。
【図７】騒音発生を説明するための側面図である。
【符号の説明】
１…エアポンプ
２…操作部
４…エアチューブ
５…エアマット
６…フック部
８…側面脚部
９…底面脚部
１０…ガイド孔
１１…第１凹部
１２…第２凹部
１３…第１凸部
１４…第２凸部
１５…凹所
１７…ベッド枠
【図１】
2004222985.tif 000003
【図２】
2004222985.tif 000004
【図３】
2004222985.tif 000005
【図４】
2004222985.tif 000006
【図５】
2004222985.tif 000007
【図６】
2004222985.tif 000008
【図７】
2004222985.tif 000009